(57)【要約】【課題】アナログ信号或はリニア特性のデジタル信号と折線圧縮符号化信号との符号変換を行う符号変換システムに関し、低レベル信号の品質改善を図る。【解決手段】  アナログ信号或はリニア特性のデジタル信号と折線圧縮符号化信号との符号変換を行う符号変換システムであって、アナログ信号或はリニア特性のデジタル信号の０を中心とした±１の範囲を折線圧縮符号化信号の０を含まない＋０．５又は−０．５に対応させるＭｉｄ−ｒｉｓｅ形式の基本変換特性を含み、アナログ信号或はリニア特性のデジタル信号の０を含む±０．５以下のレベル範囲を、折線圧縮符号化信号の０或は０を含む複数段階のレベルに変換し、アナログ信号或はリニア特性のデジタル信号の±０．５以下の低レベル信号と折線圧縮符号化信号との間の変換を行って、低レベル信号の伝送品質の向上を図る。【選択図】図１
2012165235.tif 000002
【特許請求の範囲】
【請求項１】
アナログ信号或はリニア特性のデジタル信号と折線圧縮符号化信号との相互間の符号変換を行う符号変換部を備えた符号変換処理システムに於いて、
前記符号変換部は、前記アナログ信号或は前記リニア特性のデジタル信号の０〜＋１のレベル範囲に対して折線圧縮符号化信号を＋０．５に、前記アナログ信号或は前記リニア特性のデジタル信号の０〜−１のレベル範囲に対して折線圧縮符号化信号を−０．５にそれぞれ対応させて変換するＭｉｄ−ｒｉｓｅ形式の基本変換特性を有し、且つ前記アナログ信号或は前記リニア特性のデジタル信号の０を含む±０．５以下のレベル範囲を、前記折線圧縮符号化信号の０の出力に対応させて変換する構成を備えた
ことを特徴とする符号変換処理システム。
【請求項２】
前記符号変換部は、前記リニア特性のデジタル信号の０〜＋１のレベル範囲に対して折線圧縮符号化信号の＋０．５に、前記リニア特性のデジタル信号の０〜−１のレベル範囲に対して折線圧縮符号化信号の−０．５にそれぞれ対応させて変換するＭｉｄ−ｒｉｓｅ形式の基本変換特性を有し、且つ前記リニア特性のデジタル信号の少なくとも０を含む±０．５以下のレベル範囲を、前記折線圧縮符号化信号の０を含む複数段階の出力に対応させて変換する構成を備えたことを特徴とする請求項１記載の符号変換処理システム。
【請求項３】
前記符号変換部は、前記アナログ信号或は前記リニア特性のデジタル信号の０〜＋１のレベル範囲に対して折線圧縮符号化信号の＋０．５に、前記アナログ信号或は前記リニア特性のデジタル信号の０〜−１のレベル範囲に対して折線圧縮符号化信号の−０．５にそれぞれ対応させて変換するＭｉｄ−ｒｉｓｅ形式の基本変換特性を有し、且つ前記アナログ信号或は前記リニア特性のデジタル信号の少なくとも０を含む±０．５以下の範囲を、折線圧縮符号化信号の０に対応させて変換し、サインビットとコードビットとセグメントビットとを含む前記折線圧縮符号化信号の前記コードビットをオール“１”として、前記アナログ信号或はリニア特性のデジタル信号の少なくとも０を含む±０．５以下の範囲のレベルを前記セグメントビットに対応させて変換出力する構成を備えたことを特徴とする前記請求項１記載の符号変換処理システム。
【請求項４】
前記符号変換部は、ルックアップテーブルを参照して前記リニア特性のデジタル信号と前記折線圧縮符号化信号との相互間の変換を行う構成を有し、前記ルックアップテーブルは、前記リニア特性のデジタル信号と前記折線圧縮符号化信号とを前記Ｍｉｄ−ｒｉｓｅ形式による基本変換内容と、前記リニア特性のデジタル信号の０を含む±０．５以下の範囲と前記折線圧縮符号化信号の０とを対応させ、且つコードビットをオール“１”に対応させて変換内容とを含む構成を有することを特徴とする請求項１乃至３記載の符号変換処理システム。
【発明の詳細な説明】
【技術分野】
【０００１】
本発明は、リニア特性のデジタル信号と折線圧縮符号化のデジタル信号との相互の変換を行う符号変換処理システムに関する。
【背景技術】
【０００２】
アナログ信号をＡＤ変換装置により、例えば、１４ビット構成のデジタル信号に変換して蓄積或は伝送し、再生或は受信したデジタル信号をアナログ信号に変換する各種のシステムが知られており、一般的にはリニア符号化復号化が適用されている。又１４ビット構成のデジタル信号の蓄積や伝送の効率を向上する為に、ＩＴＵーＴ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）のＪ．４１による折線圧縮符号化（Ａ−ｌａｗ）勧告が知られており、Ｖａｒｉａｎｔ  Ａと、Ｖａｒｉａｎｔ  Ｂとの方式があり、日本では、Ｖａｒｉａｎｔ  Ｂが適用されている。この折線圧縮符号化は、アナログ信号を１４ビットに量子化し、それを１１ビットに圧縮符号化するもので、図８の（Ａ）に示すように、１ビットのサインビットＳと、３ビットのコードビットＸ，Ｙ，Ｚと、７ビットのセグメントビットＡ〜Ｇとの１１ビット構成とし、これに、１ビットのパリティビットＰを付加して１２ビット構成とする。図８の（Ｂ）は、前述のＶａｒｉａｎｔ  Ｂについての仕様内容の要部を示すもので、周波数帯域は４０Ｈｚ〜１５ｋＨｚ、サンプリング周波数は３２ｋＨｚである。前述のように、圧縮符号化方式は、Ａ−Ｌａｗを適用し、１１ビット構成の折線圧縮符号に１ビットのパリティビットを付加して、合計で１２ビット構成として３２ｋＨｚで伝送するので、３８４ｋｂｐｓとなる。又図９は、前述のＪ．４１の折線圧縮符号化の折線グラフを示し、０を中心として±１２８及び±１２８〜±２５６の範囲は同じ傾きのため直線特性関係となり、この直線特性部分を１折線とすると、それ以上の＋２５６〜＋８１９２の範囲は５折線、又それ以下の−２５６〜−８１９２の範囲は５折線の変換特性となるから、合計１１折線で表される折線圧縮符号化特性を示すものとなる。
【０００３】
従来の高精度ＡＤ／ＤＡ変換用ＬＳＩの出力は１４ビットであった為、ＩＴＵ−ＴのＪ．４１（１９９３年改版）は１４ビットの勧告である。最近のＡＤ／ＤＡ変換用ＬＳＩは性能向上が著しく、デジタル出力は２４ビットである。但し、実際の有効ビット数では、１７〜１８ビット程度である。従来の１４ビットのＡＤ／ＤＡ変換用ＬＳＩに於いては、最下位の１４ビット目はランダムな背景ノイズに半ば埋もれていた。最近のＡＤ／ＤＡ変換用ＬＳＩでは、１４ビット〜１７ビット目も明確な信号データであり、背景ノイズは１７〜１８ビット以下になる。そこで、単純に最近の２４ビットのＡＤ／ＤＡ変換用ＬＳＩの出力を１４ビットに変換すると、従来にない問題が発生する場合がある。
【０００４】
図１０は、高精度の１７ビットと、その下位ビット切捨てによる１４ビットとの特性の比較説明図であり、横軸がアナログ入力、縦軸がＡＤ変換後のデジタル出力を表す。この図１０の（Ａ）〜（Ｃ）に於ける黒太線による階段状の曲線は１４ビット構成、細線による階段状の曲線は１７ビット構成の場合の入出力関係を示す。１４ビット構成と１７ビット構成とは、３ビット差であるから、レベル変化（粗さ）は８倍の差がある。理想状態のＡＤ変換では、階段の幅は零になり、入出力の関係は１本の直線になるが、１７ビットであっても、１４ビットに比べると高精度であり、理想的には１本の直線になるが、１７ビットであっても、１４ビットに比べると高精度であり、理想的な１本の直線（量子化誤差の無いアナログ信号）に近いことが比較できる。又同図の（Ｂ）は、１７ビット構成を、１４ビット構成にする為に、下位３ビットを単純に切捨てた場合の入出力関係を示すもので、入力０は出力０に対応する。又同図の（Ｃ）は、同図の（Ｂ）に対して１４ビット構成の下位の１５ビット目に“＋１”（１４ビットのレベルでは、０．５に相当）を付加した場合についての入出力関係を示し、ＩＴＵ−ＴのＪ．４１で勧告された入力が零付近の特性である。前述の折線圧縮符号化に於いて、信号全体としては、１１ビット構成により信号レベルの情報を伝送するものであるが、零付近の特性は圧縮されていない１４ビットのままである。
【０００５】
最下位ビット（ＬＳＢ）は、背景ノイズに埋もれているとは言え、その特性はシステムのトータル特性（Ｓ／Ｎや無通話時雑音）に影響を与えるので、処理には注意する必要がある。例えば、下記の特許文献１では、ＡＤ変換出力信号にデジタル・ゲインを与える場合、単純に２倍にするには、１ビット左シフトするもので、それによる最下位ビット（ＬＳＢ）は空きビットで不安定な状態を示すものとなる。このような状態のデジタル信号をアナログ信号に変換すると、量子化ノイズが増加して、アナログ信号の品質が低下することになる。そこで、空きビット位置となったＬＳＢ領域に、ランダムなデータを付加し、変換したアナログ信号に含まれるノイズ成分の平均化により、品質劣化を回避することが提案されている。又下記の特許文献２では、前述の折線圧縮符号化を適用し、ホワイトノイズ成分やランダムノイズ成分を付加することにより、ＤＡ変換によるアナログ信号に含まれる低レベルのノイズ成分を分散した状態とし、それにより、受信再生品質を向上する手段が提案されている。
【０００６】
又下記の特許文献３では、放送信号の伝送に於いて、ＡＤ変換及びＤＡ変換を行う構成を含み、且つディジタルフィルタの動作周波数を、伝送速度の整数倍の速度とし、高速処理を可能とすると共に不要周波数成分の除去により、ノイズ成分の除去を可能として、高速且つ高品質の伝送を可能とした構成が提案されている。又下記の特許文献４では、ＤＣオフセット除去回路として、量子化器による出力値が、−３，−１，＋１，＋３の４レベルの何れかとなるＭｉｄ−ｒｉｓｅ型と、出力値が、−２，０，＋２の３レベルの何れかとなるＭｉｄ−ｔｒｅａｄ型とを並列的に設けて、何れか一方を動作させて、出力変化の有無に応じて他方に切替える手段が提案されている。
【先行技術文献】
【特許文献】
【０００７】
【特許文献１】特開２００８−５３８６号公報
【特許文献２】特開２００９−２９６４９６号公報
【特許文献３】特開２００９−２９６４９８号公報
【特許文献４】特開２０１０−７４６５２号公報
【発明の概要】
【発明が解決しようとする課題】
【０００８】
前述のＩＴＵ−ＴのＪ．４１による折線圧縮符号化を適用したシステムは、ラジオ放送用信号の伝送システム等の各所で稼動されている。又アナログ信号をデジタル信号に変換するＡＤ変換用ＬＳＩは、例えば、２４ビットの変換出力特性を有する構成も一般的となっている。このような２４ビット変換出力ＡＤ変換用ＬＳＩは、実質１７〜１８ビット程度の精度の変換能力を有する場合が多い。例えば、図１０の（Ａ）に示すように、１７ビット構成に比べて１４ビット構成のステップは、３ビット差であるから、８倍のレベル変化（粗さ）の差があり、０レベル付近の処理が、入力レベルが低い信号に対して特に重要になる。又受信再生側に於いては、特性向上により、低レベルの信号についても忠実な再生が可能となっている。そこで、デジタル信号の低レベル信号について、入力信号レベルが０近傍の場合、正極性であれば＋０．５、負極性であれば−０．５として、０を含めないＭｉｄ−ｒｉｓｅ変換則（図２の（Ａ）参照）と、入力信号レベルが−０．５〜＋０．５の範囲内の場合は０とし、＋０．５以上は＋１、−０．５以下は−１とするＭｉｄ−ｔｒｅａｄ変換則（図２の（Ｂ）参照）とが知られている。前者のＭｉｄ−ｒｉｓｅ変換則は、０レベル近傍の微小な信号やノイズが増幅される問題があり、後者のＭｉｄ−ｔｒｅａｄ変換則は、微小レベルのノイズ等は増幅されることはないが、最下位ビット近傍レベルが減衰された状態となり、アナログ信号の忠実度が低下する問題があった。そこで、最下位ビット（ＬＳＢ）近傍にランダムノイズ成分を付加するディザ方式が知られている。前述の特許文献１はその一例を示すものであるが、ノイズ成分を付加したことにより、複数回線の信号加算時に、ノイズ成分の加算も同時に行われることから、ノイズ成分のレベルが高くなり、再生品質が劣化する問題がある。又前記特許文献４に示すように、Ｍｉｄ−ｔｒｅａｄと、Ｍｉｄ−ｒｉｓｅとを交互に適用する手段は、前述のＪ．４１による折線圧縮符号化の変換則から外れたものとなり、且つ処理も複雑化する問題がある。
【０００９】
本発明は、前述の従来の問題を解決することを目的とし、ＩＴＵ−ＴのＪ．４１による折線圧縮符号化の変換則を基本変換則として、低レベル信号特性を改善可能とするものであり、特に、アナログ信号をデジタル化する場合、或は、ビット数の多い高精度のリニア特性のデジタル信号を、それよりビット数の少ないデジタル信号に変換する場合の信号特性を改善するものである。
【課題を解決するための手段】
【００１０】
本発明の符号変換処理システムは、アナログ信号或はリニア特性のデジタル信号と折線圧縮符号化信号との相互間の符号変換を行う符号変換部を備えた符号変換処理システムに於いて、前記符号変換部は、前記アナログ信号或は前記リニア特性のデジタル信号の０〜＋１のレベル範囲に対して折線圧縮符号化信号を＋０．５に、前記アナログ信号或は前記リニア特性のデジタル信号の０〜−１のレベル範囲に対して折線圧縮符号化信号を−０．５にそれぞれ対応させて変換するＭｉｄ−ｒｉｓｅ形式の基本変換特性を有し、且つ前記アナログ信号或は前記リニア特性のデジタル信号の０を含む±０．５以下のレベル範囲を、前記折線圧縮符号化信号の０の出力に対応させて変換する構成を備えている。
【００１１】
又前記符号変換部は、前記アナログ信号或は前記リニア特性のデジタル信号の０〜＋１のレベル範囲に対して折線圧縮符号化信号の＋０．５に、前記リニア特性のデジタル信号の０〜−１のレベル範囲に対して折線圧縮符号化信号の−０．５にそれぞれ対応させて変換するＭｉｄ−ｒｉｓｅ形式の基本変換特性を有し、且つ前記リニア特性のデジタル信号の少なくとも０を含む±０．５以下のレベル範囲を、前記折線圧縮符号化信号の０を含む複数段階の出力に対応させて変換する構成を備えている。
【００１２】
又前記符号変換部は、前記アナログ信号或は前記リニア特性のデジタル信号の０〜＋１のレベル範囲に対して折線圧縮符号化信号の＋０．５に、前記アナログ信号或は前記リニア特性のデジタル信号の０〜−１のレベル範囲に対して折線圧縮符号化信号の−０．５にそれぞれ対応させて変換するＭｉｄ−ｒｉｓｅ形式の基本変換特性を有し、且つ前記アナログ信号或は前記リニア特性のデジタル信号の少なくとも０を含む±０．５以下の範囲を、折線圧縮符号化信号の０に対応させて変換し、サインビットとコードビットとセグメントビットとを含む前記折線圧縮符号化信号の前記コードビットをオール“１”として、前記アナログ信号或はリニア特性のデジタル信号の少なくとも０を含む±０．５以下の範囲のレベルを前記セグメントビットに対応させて変換出力する構成を備えている。
【００１３】
又前記符号変換部は、ルックアップテーブルを参照して前記リニア特性のデジタル信号と前記折線圧縮符号化信号との相互間の変換を行う構成を有し、前記ルックアップテーブルは、前記リニア特性のデジタル信号と前記折線圧縮符号化信号とを前記Ｍｉｄ−ｒｉｓｅ形式による基本変換内容と、前記リニア特性のデジタル信号の０を含む±０．５以下の範囲と前記折線圧縮符号化信号の０とを対応させ、且つコードビットをオール“１”に対応させて変換内容とを含む構成を備えている。
【発明の効果】
【００１４】
ＩＴＵ−ＴのＪ．４１による折線圧縮符号化として、単にＭｉｄ−ｒｉｓｅ形式を適用した場合は、低レベル信号特性は改善されないが、本発明のように、アナログ信号或はリニア特性のデジタル信号に０を含む±０．５以下のレベルを、折線圧縮符号化信号に含ませることにより、低レベルの特性改善が可能となる利点がある。又折線圧縮符号化信号の受信側のみが、本発明の構成を適用していない場合でも、受信再生は可能である。従って、送受信全体のシステム構成を順次改善させることも可能となる利点がある。又ＩＴＵ−ＴのＪ．４１の変換則は、１１折線（区分としては１３折線）であり、折線を指定するコードビットは３ビット構成であるが、“０００”〜“１１０”の７状態を識別可能としており、正常時は、“１１１”は使用しないものであるが、このコードビットとセグメントビットとを利用して、従来のインタフェース条件を満足しながら、特性改善を行うことが可能となる。又折線圧縮符号化信号の受信側が、前述の本発明の構成を備えていない従来例の構成であっても受信処理が可能であり、従って、送受信システムを運用しながら、順次改善することができる利点もある。
【図面の簡単な説明】
【００１５】
【図１】本発明の実施例１の説明図である。
【図２】Ｍｉｄ−ｒｉｓｅ方式（Ａ）と、Ｍｉｄ−ｔｒｅａｄ方式（Ｂ）と、本発明の実施例１の方式（Ｃ）との入出力特性説明図である。
【図３】Ｍｉｄ−ｒｉｓｅ方式（Ａ）と、本発明の実施例１の方式（Ｂ）との入出力特性説明図である。
【図４】本発明の実施例２の方式の入出力特性説明図（Ａ）と、Ｍｉｄ−ｔｒｅａｄ方式（Ｂ）との入出力特性説明図である。
【図５】本発明の実施例１，２のルックアップテーブルの説明図である。
【図６】本発明の実施例１の構成を導入した送受信システムの説明図である。
【図７】本発明の実施例２の構成を導入した送受信システムの説明図である。
【図８】ＩＴＵ−ＴのＪ．４１によるビット内容（Ａ）と仕様内容（Ｂ）との説明図である。
【図９】ＩＴＵ−ＴのＪ．４１による折線グラフである。
【図１０】（Ａ），（Ｂ），（Ｃ）は１７ビットとその下位ビット切捨てによる１４ビットとの入出力特性の比較説明図である。
【発明を実施するための形態】
【００１６】
本発明の符号変換処理システムは、図１を参照して説明すると、アナログ信号或はリニア特性のデジタル信号と折線圧縮符号化信号との相互間の符号変換を行う符号変換部５，１５を備えた符号変換処理システムであって、符号変換部５，１５は、前記アナログ信号或は前記リニア特性のデジタル信号の０〜＋１のレベル範囲に対して折線圧縮符号化信号を＋０．５に、前記アナログ信号或は前記リニア特性のデジタル信号の０〜−１のレベル範囲に対して折線圧縮符号化信号を−０．５にそれぞれ対応させて変換するＭｉｄ−ｒｉｓｅ形式の基本変換特性を有し、且つ前記アナログ信号或は前記リニア特性のデジタル信号の０を含む±０．５以下のレベル範囲を、前記折線圧縮符号化信号の０の出力に対応させて変換する構成を備えている。
【実施例１】
【００１７】
図１は、本発明の実施例１の説明図であり、１は受信部、２は受信増幅部、３はＡ／Ｄコンバータ、４は信号変換部（２４ｂｉｔ→１４ｂｉｔ）、５は符号変換部（リニア／Ａ−ｌａｗ変換）（１４ｂｉｔ→１１ｂｉｔ）、６はＡＤ側ルックアップテーブル、７は伝送インタフェース部、１１は送信部、１２は送信増幅部、１３はＤ／Ａコンバータ、１４は信号変換部（２４ｂｉｔ←１４ｂｉｔ）、１５は符号変換部（Ａ−ｌａｗ／リニア変換）（１４ｂｉｔ←１１ｂｉｔ）、１６はＤＡ側ルックアップテーブルを示す。受信部１及び送信部１１は、音声信号等のアナログ信号の受信及び送信を行う機能を有し、受信増幅部２と送信増幅部１２とは、それぞれ受信アナログ信号と送信アナログ信号との増幅を行う構成を有するものである。
【００１８】
端末装置等の送信部から受信部１を介して受信増幅部２に音声信号等のアナログ信号を入力し、所定のレベルに増幅してＡ／Ｄコンバータ３に入力する。Ａ／Ｄコンバータ３は、入力アナログ信号を、例えば２４ビット（実質有効は１７ビット〜１８ビット）の高精度のリニア特性のデジタル信号に変換して、信号変換部４に入力し、その符号変換部４は、２４ビットのデジタル信号の上位１４ビットを変換処理信号として符号変換部５に入力する。この符号変換部５は、ＡＤ側ルックアップテーブル６の内容に基づいて、入力されたリニア特性の１４ビット構成のデジタル信号を、１１ビット構成のＡ−ｌａｗ変換則に従った折線圧縮符号化により、１１ビット構成のデジタル信号に変換し、１ビットのパリティビットを付加して１２ビット構成とし、伝送インタフェース部７から図示を省略したネットワーク等へ送信する。又ネットワーク等を介して伝送インタフェース部７により受信したＡ−ｌａｗ変換則に従った折線圧縮符号化によるデジタル信号を符号変換部１５へ転送する。この符号変換部１５は、ＤＡ側ルックアップテーブル１６の内容に基づいて、１１ビット構成のＡ−ｌａｗ変換則に従った折線圧縮符号化によるデジタル信号を、１４ビット構成のリニア符号則のデジタル信号に変換し、信号変換部１４により、１４ビット構成のデジタル信号を２４ビット構成に変換して、Ｄ／Ａコンバータ１３によりアナログ信号に変換し、送信増幅部１４により所定のレベルに増幅し、送信部１１から端末装置等の受信部へ転送する。なお、リニア特性のデジタル信号を折線圧縮符号化して送信し、且つ折線圧縮符号化信号を受信して、リニア特性のデジタル信号に変換する構成にも適用することが可能である。
【００１９】
図２は、圧縮符号化の概要説明図であり、横軸は入力、縦軸は出力を表し、（Ａ）は、従来のＭｉｄ−ｒｉｓｅ方式の概要を示す。又（Ｂ）は、従来のＭｉｄ−ｔｒｅａｄ方式の概要を示し、（Ｃ）は、本発明の実施例１の方式の概要を示す。Ｍｉｄ−ｒｉｓｅ方式は、図２の（Ａ）に示すように、入力が０レベル近傍の場合、＋側であれば＋１、−側であれば−１の信号に変換するものであり、又Ｍｉｄ−ｔｒｅａｄ方式は、図２の（Ｂ）に示すように、入力レベルが０近傍の場合に、±０．５以下のレベルであれば、０とするものである。一方、本発明に於いては、図２の（Ｃ）に示すように、±０．５以下の例えば、＋０．１２５〜０〜−０．１２５のレベル範囲では、０とする変換処理を行うものである。なお、この０と判定するレベル範囲は、＋０．１２５〜０〜−０．１２５以外に、例えば、それよりも広い範囲の＋０．２５〜０〜−０．２５のレベル範囲や、＋０．５〜−０．５のレベル範囲、或は、狭い範囲の＋０．０６２５〜−０．０６２５の範囲を０レベルと判定するように設定することも可能であり、その設定内容は、ＡＤ側ルックアップテーブル６とＤＡ側ルックアップテーブル１６とに設定する。
【００２０】
図３は、従来例のＭｉｄ−ｒｉｓｅ方式と、本発明の実施例１との圧縮符号化の説明図であり、（Ａ）は、従来例のＭｉｄ−ｒｉｓｅ方式に於ける高精度の１７ビット構成と、１４ビット構成とによる入出力関係を示すもので、１４ビット構成として、−１〜０の入力レベルの場合、出力レベルを−０．５とし、０〜＋１の入力レベルの場合、出力レベルを＋０．５とするもので、出力レベルは０を含まないものであるが、（Ｂ）に示す本発明の実施例１に於いては、入力レベルが−０．１２５〜０〜＋０．１２５の範囲では出力レベルを０とする場合を示す。なお、１７ビット構成の場合は、１４ビット構成に比較して高精度であり、細かい階段状の特性となる。なお、理想的なアナログ信号の場合は、この細かい階段状の階段幅が零となるので、直線状となる。
【実施例２】
【００２１】
図４は、本発明の実施例２の説明図であり、（Ａ）に示すように、入力が−０．１２５〜０〜＋０．１２５の範囲では、出力は０とする。又入力が−０．３７５〜−０．１２５の範囲では、出力は−０．２５とし、入力が＋０．１２５〜＋０．３７５の範囲では、出力は＋０．２５とする。又（Ｂ）は、図２の（Ｂ）と同様なＭｉｄ−ｔｒｅａｄ方式を適用した場合を示し、それぞれ１４ビット構成の場合の特性に比較してより細かい階段状の特性となる。
【００２２】
図５は、図１に於けるルックアップテーブルについて示すものである。この図５の（Ａ）は、サインビットＳと、コードビットＸ，Ｙ，Ｚと、セグメントビットＡ〜Ｇと、入力と出力との関係を示し、図５の（Ｂ）は、コードビットＸ，Ｙ，Ｚが“１１１”の場合、エラー有りとし、セグメントビットＡ〜Ｇの内容は、入力無しとして示すように、受信側ではエラーデータと判断して復号化せずに、零を出力するものであった。これに対して、本発明は、このコードビットＸ，Ｙ，Ｚがオール“１”の場合、実施例１に於いては、図５の（Ｃ）に示すように、サインビットＳは、“１”、コードビットＡ〜Ｇはオール“１”とし、入力は、−０．１２５〜＋０．１２５の零付近の微小入力と定義し、出力は復元化して０として処理する。なお、前述のように、零付近と定義する値は、−０．１２５〜＋０．１２５に限定されるものではなく、他の値とすることも可能である。又サインビットＳは“０”とすることも可能である。又サインビットＳは“０”とすることも可能である。このような圧縮符号化復号化に於ける未使用データを利用することによって、図３の（Ｂ）に示すような入出力特性として、低レベル信号を伝送することが可能となる。
【００２３】
又図５の（Ｄ）は、前述の実施例２に従ったルックアップテーブルの内容を示すものであり、サインビットＳを“１”、コードビットＸ，Ｙ，Ｚをオール“１”、セグメントビットＡ〜Ｇをオール“１”として、入力−０．１２５〜＋０．１２５、出力０の関係に設定し、セグメントビットＡ〜Ｇを“１１１１１１０”として、入力＋０．１２５〜＋０．３７５、出力＋０．２５の関係に設定し、セグメントビットＡ〜Ｇを“１１１１１０１”として、入力−０．１２５〜−０．３７５、出力−０．２５の関係に設定する。このようなルックアップテーブル内容を基に圧縮符号化復号化を行うことにより、図４の（Ａ）に示すような入出力特性として、低レベル信号を忠実に伝送することが可能となる。なお、図５の（Ｄ）に示す変換範囲より広い例えば入力±０．３７５〜±０．５の範囲を出力±０．５とするリニア特性のデジタル信号と折線圧縮符号化信号との間の前述の変換則を拡張し、それに対応したセグメントビットの割当てを設定し、且つ前述のようにコードビットをオール“１”として、低レベル信号であることを示すことも可能である。
【００２４】
図６は、前述の本発明の実施例１の構成を、運用中の複数の局間で導入した送受信システムの説明図であり、Ａ，Ｂ，Ｃ局に於いて、Ａ局は、送信側も受信側も本発明の実施例１の構成を適用し、Ｂ局は、受信側が本発明の実施例１の構成を適用し、Ｃ局は未適用の場合を示す。Ａ局からＢ局に対して、図３の（Ｂ）に示す特性の圧縮符号化によるデジタル信号を送信し、Ｂ局に於いては、符号変換部１５（図１参照）に対するＤＡ側ルックアップテーブル１６を、図５の（Ｃ）の内容を含めることにより、低レベル部分の受信復号信号の品質を向上することが可能となる。又Ｃ局からＡ局が受信する場合は、従来例と同様であり、エラー発生以外は、サインビットＳとコードビットＸ，Ｙ，ＺとセグメントビットＡ〜Ｇとをそれぞれ“１”とすることがないので、例えば、図３の（Ａ）に示す特性の従来例に従った受信復号処理が実行されることになる。
【００２５】
図７は、前述の本発明の実施例２の構成を、運用中の複数の局間で導入した送受信システムの説明図であり、Ａ局とＢ局とが本発明の実施例２の構成を適用し、Ｃ局は未適用の場合を示す。Ａ局とＢ局とは、図１を参照すると、送受信を行う為の符号変換部５，１５に対するＡＤ側ルックアップテーブル６と、ＤＡ側ルックアップテーブル１６とを、図５の（Ａ）のテーブル内容に、（Ｄ）に示す内容を追加した構成とする。それによって、低レベル部分は、＋０．１２５〜−０．１２５の範囲は０とし、＋０．１２５〜＋０．３７５の範囲は＋０．２５とし、−０．１２５〜−０．３７５の範囲は−０．２５とする。従って、前述の実施例１による場合に比較して、低レベル信号の品質を向上することが可能となる。又本発明の実施例１又は実施例２を適用した送受信システムを、順次各送受信局２に適用することにより、低レベルの品質改善を進めることが可能となる。従って、本発明では、運用中の複数の局間で、総ての局に一斉に前述の本発明の各実施例を適用する必要はなく、順次適用することにより、低レベル信号の品質改善を順次進めることも可能となる。
【符号の説明】
【００２６】
１  受信部
２  受信増幅部
３  Ａ／Ｄコンバータ
４  信号変換部
５  符号変換部（リニア／Ａ−ｌａｗ変換）
６  ＡＤ側ルックアップテーブル
７  伝送インタフェース部
１１  送信部
１２  送信増幅部
１３  Ｄ／Ａコンバータ
１４  信号変換部
１５  符号変換部（Ａ−ｌａｗ／リニア変換）
１６  ＤＡ側ルックアップテーブル
【図１】
2012165235.tif 000003
【図２】
2012165235.tif 000004
【図３】
2012165235.tif 000005
【図４】
2012165235.tif 000006
【図５】
2012165235.tif 000007
【図６】
2012165235.tif 000008
【図７】
2012165235.tif 000009
【図８】
2012165235.tif 000010
【図９】
2012165235.tif 000011
【図１０】
2012165235.tif 000012